(57)【要約】【課題】  給電装置から電子機器が受け取る電力が低下したとしても、電子機器が安定した動作を行えるようにすることを目的とする。【解決手段】  給電装置から無線により電力を受け取る受電手段と、前記受電手段が受け取った電力の電圧を検出する検出手段と、負荷手段と、前記受電手段が受け取った電力を前記負荷手段に供給するための制御を行う制御手段とを有し、前記制御手段は、前記検出手段の検出結果に応じて、前記受電手段が受け取った電力の前記負荷手段への供給を制限することを特徴とする。【選択図】  図２
2015154511.tif 000002
【特許請求の範囲】
【請求項１】
給電装置から無線により電力を受け取る受電手段と、
前記受電手段が受け取った電力の電圧を検出する検出手段と、
負荷手段と、
前記受電手段が受け取った電力を前記負荷手段に供給するための制御を行う制御手段と
を有し、
前記制御手段は、前記検出手段の検出結果に応じて、前記受電手段が受け取った電力の前記負荷手段への供給を制限するか否かを制御することを特徴とする電子機器。
【請求項２】
前記制御手段は、前記検出手段によって検出された電圧が第１の所定値より大きい値である第２の所定値以上である場合、前記受電手段が受け取った電力の前記負荷手段への供給を制限するための制御を行わないことを特徴とする請求項１に記載の電子機器。
【請求項３】
前記電子機器に接続されている電池の電圧を検出する第２の検出手段をさらに有し、
前記制御手段は、前記検出手段によって検出された電圧が前記第２の所定値よりも小さい場合、前記第２の検出手段の検出結果に応じて、前記受電手段が受け取った電力の前記負荷手段への供給を制限するための制御を行うことを特徴とする請求項２に記載の電子機器。
【請求項４】
前記制御手段は、前記検出手段によって検出された電圧が前記第１の所定値よりも小さい場合、前記第２の検出手段によって第４の所定値よりも小さい前記電池の電圧が検出されたこと応じて、前記電子機器を第１のモードに設定することを特徴とする請求項３に記載の電子機器。
【請求項５】
前記制御手段は、前記検出手段によって検出された電圧が前記第１の所定値よりも小さい場合、前記第２の検出手段によって前記第４の所定値よりも大きい第５の所定値以上である前記電池の電圧が検出されたこと応じて、前記電子機器を第３のモードに設定することを特徴とする請求項４に記載の電子機器。
【請求項６】
前記制御手段は、前記検出手段によって検出された電圧が前記第１の所定値よりも小さい場合、前記第２の検出手段によって前記第４の所定値以上で前記第５の所定値よりも小さい前記電池の電圧が検出されたこと応じて、前記電子機器を第２のモードに設定することを特徴とする請求項５に記載の電子機器。
【請求項７】
前記制御手段は、前記検出手段によって検出された電圧が前記第１の所定値以上で前記第２の所定値よりも小さい場合、前記第２の検出手段によって前記第５の所定値よりも小さい前記電池の電圧が検出されたこと応じて、前記電子機器を前記第２のモードに設定することを特徴とする請求項５または６に記載の電子機器。
【請求項８】
前記制御手段は、前記検出手段によって検出された電圧が前記第１の所定値以上で前記第２の所定値よりも小さい場合、前記第２の検出手段によって前記第５の所定値以上である前記電池の電圧が検出されたこと応じて、前記電子機器を前記第３のモードに設定することを特徴とする請求項５から７のいずれか１項に記載の電子機器。
【請求項９】
前記制御手段は、前記検出手段によって検出された電圧が前記第２の所定値よりも小さい場合、前記給電装置に給電電力を増加するように要求するための制御を行うことを特徴とする請求項２から８のいずれか１項に記載の電子機器。
【請求項１０】
前記制御手段は、前記検出手段によって検出された電圧の変化が第３の所定値以上である場合、再び、前記検出手段の検出結果に応じて、前記受電手段が受け取った電力の前記負荷手段への供給を制限するか否かを制御することを特徴とする請求項１から９のいずれか１項に記載の電子機器。
【請求項１１】
前記負荷手段は、表示手段、撮像手段及び通信手段の少なくとも一つを含むことを特徴とする請求項１から９のいずれか１項に記載の電子機器。
【請求項１２】
給電装置から無線により電力を受け取るステップと、
前記給電装置から受け取った電力の電圧を検出するステップと、
前記給電装置から受け取った電力の電圧の検出結果に応じて、前記給電装置から受け取った電力の負荷手段への供給を制限するステップと
を有することを特徴とする制御方法。
【請求項１３】
給電装置から無線により電力を受け取るステップと、
前記給電装置から受け取った電力の電圧を検出するステップと、
前記給電装置から受け取った電力の電圧の検出結果に応じて、前記給電装置から受け取った電力の負荷手段への供給を制限するステップと
コンピュータに実行させるためのプログラム。
【発明の詳細な説明】
【技術分野】
【０００１】
本発明は、外部装置から無線により電力を受け取る電子機器等に関する。
【背景技術】
【０００２】
近年、コネクタで接続することなく無線により電力を出力する給電装置と、給電装置から無線により供給される電力を負荷に供給する電子機器とを含む無線給電システムが知られている。
【０００３】
このような無線給電システムにおいて、電子機器の負荷のインピーダンスに応じて、電子機器の受電コイルの巻き数と共振コンデンサの容量とを設定する電子機器が知られている（特許文献１）。
【先行技術文献】
【特許文献】
【０００４】
【特許文献１】特開平１０−２８５８３６号公報
【発明の概要】
【発明が解決しようとする課題】
【０００５】
しかしながら、このような無線給電システムにおいて、給電装置から電子機器に供給される電力は、給電装置と電子機器との距離や位置に応じて、急激に変動する場合がある。電子機器で充電や負荷の動作が行われている場合において、給電装置から電子機器に供給される電力が低下した場合、電子機器の制御が正常に行われなくなり、電子機器の動作が不安定になるような場合があった。
【０００６】
そこで、本発明は、給電装置から電子機器に供給される電力が低下したとしても、電子機器が安定した動作を行えるようにすることを目的とする。
【課題を解決するための手段】
【０００７】
本発明に係る電子機器は、給電装置から無線により電力を受け取る受電手段と、前記受電手段が受け取った電力の電圧を検出する検出手段と、負荷手段と、前記受電手段が受け取った電力を前記負荷手段に供給するための制御を行う制御手段とを有し、前記制御手段は、前記検出手段の検出結果に応じて、前記受電手段が受け取った電力の前記負荷手段への供給を制限することを特徴とする。
【発明の効果】
【０００８】
本発明によれば、給電装置から電子機器に供給される電力が低下したとしても、電子機器が安定した動作を行えるようにすることができる。
【図面の簡単な説明】
【０００９】
【図１】本発明の実施例１における給電システムの一例を示した図である。
【図２】本発明の実施例１における給電装置の一例を示すブロック図である。
【図３】本発明の実施例１における電子機器の一例を示すブロック図である。
【図４】本発明の実施例１における電力制御部の一例を示すブロック図である。
【図５】本発明の実施例１における制御処理の一例を示すフローチャート図である。
【図６】本発明の実施例１における所定のテーブルの一例を示す図である。
【発明を実施するための形態】
【００１０】
［実施例１］
以下、本発明の実施例１について、図面を参照して説明する。
【００１１】
図１に示すように、実施例１に係る給電システムは、給電装置１００と電子機器２００とを有する。実施例１における給電システムにおいて、給電装置１００における所定の範囲３００内に電子機器２００が存在する場合、給電装置１００は、電子機器２００に無線により給電を行う。また、電子機器２００が所定の範囲３００内に存在する場合、電子機器２００は、給電装置１００から出力される電力を無線により受け取ることができる。また、電子機器２００が所定の範囲３００内に存在しない場合、電子機器２００は、給電装置１００から電力を受け取ることができない。なお、所定の範囲３００とは、給電装置１００が電子機器２００と通信を行うことができる範囲であるものとする。所定の範囲３００を給電装置１００の筺体上の範囲としたが、これに限られないものとする。なお、給電装置１００は、複数の電子機器に対して無線により給電を行うものであってもよい。
【００１２】
電子機器２００は、撮像装置や再生装置であってもよく、携帯電話やスマートフォンのような通信装置であってもよい。また、電子機器２００は、電池を含む電池パックであってもよい。また、電子機器２００は、自動車やディスプレイであってもよく、パーソナルコンピュータであってもよい。
【００１３】
次に、図２を参照して、実施例１に係る給電装置１００の構成の一例について説明を行う。給電装置１００は、図２に示すように、制御部１０１、給電部１０２、メモリ１０７、操作部１０８及び第２の通信部１０９を有する。給電部１０２には、電力生成部１０３、整合回路１０４、第１の通信部１０５及び給電アンテナ１０６が含まれる。
【００１４】
制御部１０１は、メモリ１０７に記録されているコンピュータプログラムを実行することによって、給電装置１００を制御する。制御部１０１は、例えば、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）を含む。なお、制御部１０１は、ハードウェアにより構成されるものとする。また、制御部１０１は、タイマー１０１ａを有する。
【００１５】
給電部１０２は、給電方法に基づいて、無線給電を行うために用いられる。給電方法は、例えば、磁界共鳴方式を用いた給電方法である。磁界共鳴方式とは、給電装置１００と電子機器２００との間で共振が行われる状態において、給電装置１００から電子機器２００に電力を伝送するものである。給電装置１００と電子機器２００との間で共振が行われる状態とは、給電装置１００の給電アンテナ１０６の共振周波数と、電子機器２００の受電アンテナ２０３の共振周波数とが一致している状態である。
【００１６】
電力生成部１０３は、不図示のＡＣ電源と給電装置１００とが接続されている場合、不図示のＡＣ電源から供給される電力を用いて、給電アンテナ１０６を介して外部に出力するための電力を生成する。
【００１７】
電力生成部１０３によって生成される電力には、第１の電力と、第２の電力とがある。第１の電力は、第１の通信部１０５が電子機器２００と通信を行うために用いられる。第１の電力は、例えば、１Ｗ以下の微弱な電力であるものとする。なお、第１の電力は、第１の通信部１０５の通信規格に規定されている電力であってもよい。第２の電力は、電子機器２００が充電や特定の動作を行うために用いられる。第２の電力は、例えば、２Ｗ以上の電力であるものとする。また、第２の電力は、第１の電力よりも大きい電力であれば、２Ｗ以上の電力に限られないものとする。
【００１８】
電力生成部１０３によって生成される電力は、整合回路１０４を介して給電アンテナ１０６に供給される。
【００１９】
整合回路１０４は、給電アンテナ１０６の共振周波数を設定する回路と、電力生成部１０３と給電アンテナ１０６との間のインピーダンスマッチングを行うための回路とを含む。
【００２０】
給電装置１００が給電アンテナ１０６を介して第１の電力及び第２の電力のいずれか一つを出力する場合、制御部１０１は、給電アンテナ１０６の共振周波数を所定の周波数ｆに設定するように整合回路１０４を制御する。所定の周波数ｆは、例えば、１３．５６ＭＨｚである。
【００２１】
第１の通信部１０５は、例えば、ＮＦＣ（Ｎｅａｒ  Ｆｉｅｌｄ  Ｃｏｍｍｕｎｉｃａｔｉｏｎ）フォーラムによって規定されているＮＦＣ規格に基づいて、無線通信を行う。また、第１の通信部１０５の通信規格は、ＩＳＯ／ＩＥＣ  １８０９２規格であってもよく、ＩＳＯ／ＩＥＣ  １４４４３規格であってもよく、ＩＳＯ／ＩＥＣ  ２１４８１規格であってもよい。第１の通信部１０５は、第１の電力が給電アンテナ１０６から出力されている場合、給電アンテナ１０６を介して電子機器２００と無線給電を行うためのデータの送受信を行うことができる。しかし、第２の電力が給電アンテナ１０６から出力されている期間において、第１の通信部１０５は、給電アンテナ１０６を介して電子機器２００と通信を行わないものとする。
【００２２】
第１の通信部１０５は、電子機器２００にデータを送信する場合、電力生成部１０３から供給される第１の電力に電子機器２００に送信するデータを重畳する処理を行う。データが重畳された第１の電力は、給電アンテナ１０６を介して電子機器２００に送信される。
【００２３】
第１の通信部１０５が、電子機器２００からデータを受信する場合、給電アンテナ１０６に流れる電流を検出し、この電流の検出結果に応じて、電子機器２００からデータを受信する。これは、電子機器２００が給電装置１００にデータを送信する場合に、電子機器２００の内部の負荷を変動させることによって、データの送信を行うからである。電子機器２００の内部の負荷が変化した場合、給電アンテナ１０６に流れる電流が変化する。このため、第１の通信部１０５は、給電アンテナ１０６に流れる電流を検出することで、電子機器２００からデータを受信することができる。
【００２４】
給電アンテナ１０６は、第１の電力及び第２の電力のいずれか一つを電子機器２００に出力するためのアンテナである。制御部１０１は、電子機器２００に無線給電を行う場合、第１の電力と第２の電力とが給電アンテナ１０６を介して交互に出力されるように給電部１０２を制御する。
【００２５】
メモリ１０７は、給電装置１００を制御するためのコンピュータプログラムを記録する。また、メモリ１０７は、電子機器２００から第１の通信部１０５及び第２の通信部１１３の少なくとも一つが取得したデータを記録する。
【００２６】
操作部１０８は、給電装置１００を操作するためのユーザインターフェースを提供する。制御部１０１は、操作部１０８を介して入力された入力信号に従って給電装置１００を制御する。
【００２７】
第２の通信部１０９は、第１の通信部１０５の通信規格と異なる通信規格に基づいて、電子機器２００と無線通信を行う。第２の通信部１０９の通信規格は、例えば、無線ＬＡＮ（Ｗｉｒｅｌｅｓｓ  Ｌｏｃａｌ  Ａｒｅａ  Ｎｅｔｗｏｒｋ）規格やＢｌｕｅｔｏｏｔｈ（登録商標）規格である。第２の通信部１０９は、給電装置１００と電子機器２００との間で映像データ、音声データ及びコマンドの少なくとも一つを含むデータを送信したり、受信することができる。
【００２８】
次に、図３を参照して、電子機器２００の構成の一例について説明を行う。電子機器２００は、制御部２０１、受電部２０２、充電部２０８、電池２０９、レギュレータ２１０、操作部２１１及び負荷部２１２を有する。受電部２０２には、受電アンテナ２０３、整合回路２０４、整流平滑回路２０５、第１の通信部２０６及び電力制御部２０７が含まれる。
【００２９】
制御部２０１は、メモリ２０１ａに記録されているコンピュータプログラムを実行することによって、電子機器２００を制御する。
【００３０】
受電部２０２は、給電装置１００の給電方法に対応し、給電装置１００から電力を無線により受け取るために用いられる。
【００３１】
受電アンテナ２０３は、給電装置１００から供給される電力を受け取るためのアンテナである。また、受電アンテナ２０３は、第１の通信部２０６がＮＦＣ規格を用いた無線通信を給電装置１００と行うために用いられる。受電アンテナ２０３を介して給電装置１００から電子機器２００が受け取った電力は、整合回路２０４を介して整流平滑回路２０５に供給される。
【００３２】
整合回路２０４は、受電アンテナ２０３の共振周波数を設定する回路を含む。制御部２０１は、整合回路２０４を制御することによって受電アンテナ２０３の共振周波数を給電アンテナ１０６の共振周波数と等しい所定の周波数ｆに設定することができる。
【００３３】
整流平滑回路２０５は、受電アンテナ２０３によって受電された電力から直流電力を生成する。さらに、整流平滑回路２０５は、生成した直流電力を電力制御部２０７に供給する。また、整流平滑回路２０５は、受電アンテナ２０３によって受電された電力にデータが重畳されている場合、受電アンテナ２０３によって受電された電力から取り除かれたデータを第１の通信部２０６に供給する。
【００３４】
第１の通信部２０６は、第１の通信部１０５と同一の通信規格に基づいて、給電装置１００と通信を行う。
【００３５】
第１の通信部２０６は、整流平滑回路２０５から供給されたデータを解析する。その後、第１の通信部２０６は、データの解析結果を用いて、応答データを給電装置１００に送信するために、第１の通信部２０６内部の負荷を変動させる処理を行う。
【００３６】
電力制御部２０７について、図４を用いて、説明を行う。
【００３７】
電力制御部２０７は、整流平滑回路２０５から供給された電力を充電部２０８やレギュレータ２１０に供給する。また、電力制御部２０７は、整流平滑回路２０５から供給される直流電力の電圧レベルに応じて、充電部２０８やレギュレータ２１０に供給する電力を制限する。
【００３８】
図４のように、電力制御部２０７は、出力部３０１、第１の検出部３０２、レギュレータ３０３、第２の検出部３０４、ＣＰＵ３０５、及びメモリ３０６を含む。
【００３９】
電力制御部２０７の消費電力は、負荷部２１２の消費電力に比べて微小である。例えば、負荷部２１２の消費電力が１Ｗ以上であるのに対し、電力制御部２０７の消費電力は、数十ｍＷ程度の電力である。
【００４０】
出力部３０１は、ＣＰＵ３０５からの指示に応じて、整流平滑回路２０５から供給された電力を充電部２０８及びレギュレータ２１０の少なくとも一つに出力する。
【００４１】
第１の検出部３０２は、整流平滑回路２０５から入力された電力の入力電圧の値を検出する。整流平滑回路２０５から入力された電力の電圧を以下「電圧Ｖ１」と呼ぶ。第１の検出部３０２によって検出された電圧Ｖ１は、ＣＰＵ３０５に通知される。
【００４２】
レギュレータ３０３は、電圧Ｖ１をＣＰＵ３０５の動作電圧に変換してからＣＰＵ３０５に供給する。さらに、レギュレータ３０３は、整流平滑回路２０５から入力された電力の電圧をメモリ３０６の動作電圧に変換してからメモリ３０６に供給する。
【００４３】
第２の検出部３０４は、電池２０９の電圧の値を検出する。電池２０９の電圧を以下「電圧Ｖ２」と呼ぶ。第２の検出部３０４によって検出された電圧Ｖ２は、ＣＰＵ３０５に通知される。
【００４４】
ＣＰＵ３０５は、制御部２０１とデータのやり取りを行い、制御部２０１からの指示に応じて、電力制御部２０７を制御する。ＣＰＵ３０５は、検出された電圧Ｖ１及び電圧Ｖ２を制御部２０１に通知する。
【００４５】
メモリ３０６は、電圧Ｖ１及び電圧Ｖ２を記録する。
【００４６】
充電部２０８は、電池２０９を充電する。充電部２０８は、制御部２０１からの指示に応じて、電力制御部２０７から供給される電力を用いて電池２０９を充電するか、電池２０９から放電される電力をレギュレータ２１０に供給するかを制御する。充電部２０８は、定期的に電池２０９の残容量を検出し、電池２０９の残容量を示すデータや電池２０９の充電に関するデータ等を含む充電データを制御部２０１に供給する。
【００４７】
電池２０９は、電子機器２００に接続可能な二次電池である。
【００４８】
レギュレータ２１０は、制御部２０１からの指示に応じて、電圧Ｖ１及び電圧Ｖ２の少なくとも一つを所望の電圧値に変換して電子機器２００の各部に供給する。
【００４９】
操作部２１１は、電子機器２００を操作するためのユーザインターフェースを提供する。制御部２０１は、操作部２１１を介して入力された入力信号に従って電子機器２００を制御する。
【００５０】
負荷部２１２は、被写体の光学像から静止画や動画等の画像データの生成を行う撮像手段、画像データの表示を行う表示手段、画像データや音声データを外部装置に送信するための通信手段等を含む。
【００５１】
給電装置１００は、無線により電力を電子機器２００に供給するようにした。しかし、「無線」を「非接触」や「無接点」と言い換えてもよいものとする。
【００５２】
給電アンテナ１０６及び受電アンテナ２０３は、ヘリカルアンテナであっても、スパイラルアンテナであってもよく、メアンダラインアンテナ等の平面状のアンテナであってもよい。
【００５３】
電子機器２００は、給電装置１００から受電アンテナ２０３が受け取った電力を用いて、負荷部２１２の動作及び充電部２０８による電池２０９への充電動作の少なくとも一つを行う場合がある。しかしながら、負荷部２１２の動作及び充電部２０８による電池２０９への充電動作の少なくとも一つが行われている間において、給電装置１００から受電アンテナ２０３が受け取る電力が低下した場合に、電子機器２００が過負荷となる可能性があった。
【００５４】
電子機器２００が過負荷となると、整流平滑回路２０５からの入力電圧が低下し、電力制御部２０７に必要な電圧すら供給できなくなるので、電力制御部２０７から制御部２０１に必要な電圧が供給されなくなる。この場合、制御部２０１は、動作を停止し、電子機器２００を制御できなくなってしまうので、電子機器２００の動作を正常に終了することができなくなる場合があった。そのため、電子機器２００にエラーが発生した状態で、電子機器２００の動作が終了してしまう可能性がある。
【００５５】
このような場合、給電装置１００から受電アンテナ２０３が受け取る電力が増加した場合であっても、電子機器２００の状態が安定した状態に復帰するまでに、時間がかかってしまう。
【００５６】
このような事態を防ぐために、電子機器２００は、負荷部２１２の動作及び電池２０９への充電動作の少なくとも一つが行われている間に、受電アンテナ２０３が受け取る電力が低下したとしても、制御部２０１に必要な電圧が供給されるようにする。そのために、電子機器２００は、以下の制御処理を行う。
【００５７】
（制御処理）
次に、実施例１において、制御処理について、図５のフローチャートを用いて説明する。制御処理は、制御部２０１がメモリ２０１ａに格納されているコンピュータプログラムを実行することにより実現することができる。なお、制御処理は、給電装置１００から電子機器２００への給電が開始されてから制御部２０１によって行われるものとする。
【００５８】
Ｓ５０１において、制御部２０１は、ＣＰＵ３０５から通知された電圧Ｖ１が第１の所定値以上であるか否かを判定する。なお、第１の所定値は、例えば、１０［Ｖ］である。電圧Ｖ１が第１の所定値以上でない場合（Ｓ５０１でＮｏ）、制御部２０１は、Ｓ５０２に進む。電圧Ｖ１が第１の所定値以上である場合（Ｓ５０１でＹｅｓ）、本フローチャートは、Ｓ５０６に進む。
【００５９】
電圧Ｖ１が第１の所定値以上である場合（Ｓ５０１でＹｅｓ）、制御部２０１は、負荷部２１２の動作及び電池２０９への充電動作が行われている場合であっても、電力制御部２０７が正常に動作し、制御部２０１に必要な電圧が供給されていると判定する。このため、制御部２０１は、充電部２０８や負荷部２１２への電力供給を制限しない。
【００６０】
Ｓ５０２において、制御部２０１は、ＣＰＵ３０５から通知された電圧Ｖ１が第２の所定値以上であるか否かを判定する。なお、第２の所定値は、例えば、３．５［Ｖ］である。電圧Ｖ１が第２の所定値以上である場合（Ｓ５０２でＹｅｓ）、本フローチャートは、Ｓ５０７に進む。電圧Ｖ１が第２の所定値以上でない場合（Ｓ５０２でＮｏ）、本フローチャートは、Ｓ５０３に進む。
【００６１】
Ｓ５０３において、制御部２０１は、ＣＰＵ３０５から通知された電圧Ｖ２が第３の所定値以上であるか否かを判定する。第３の所定値とは、電池２０９が制御部２０１及び負荷部２１２の動作に必要な電力を供給することができるか否かを判定するための閾値である。例えば、第３の所定値は、３〜６［Ｖ］である。電圧Ｖ２が第３の所定値以上である場合（Ｓ５０３でＹｅｓ）、制御部２０１は、電池２０９が制御部２０１及び負荷部２１２の動作に必要な電力を供給することができると判定する。Ｓ５０３でＹｅｓの場合、本フローチャートは、Ｓ５０７に進む。電圧Ｖ２が第３の所定値以上でない場合（Ｓ５０３でＮｏ）、制御部２０１は、電池２０９が制御部２０１及び負荷部２１２の動作に必要な電力を供給することができないと判定する。Ｓ５０３でＮｏの場合、本フローチャートは、Ｓ５０４に進む。
【００６２】
Ｓ５０４において、制御部２０１は、給電装置１００が電子機器２００に対して供給する給電電力を増加するように要求するための要求データを給電装置１００に送信するように第１の通信部２０６を制御する。例えば、給電装置１００において、第１の通信部１０５が要求データを電子機器２００から受信した場合、制御部１０１は、給電アンテナ１０６から出力されている電力のレベルを現在値よりも高い値に変更するように給電部１０２を制御する。この場合、本フローチャートは、Ｓ５０５に進む。
【００６３】
Ｓ５０５において、制御部２０１は、電子機器２００を第１のモードに設定する。第１のモードは、電池２０９からの電力及び整流平滑回路２０５からの電力をレギュレータ２１０を介して負荷部２１２及び操作部２１１に供給しないようにするためのモードである。電子機器２００が第１のモードである場合、電池２０９からの電力及び整流平滑回路２０５からの電力のいずれも負荷部２１２及び操作部２１１に供給されない。この場合、本フローチャートは、Ｓ６０６に進む。なお、第１のモードを「パワーセーブモード」と言い換えても良いものとする。電子機器２００が第１のモードに設定された場合、制御部２０１は、整流平滑回路２０５から供給された電力を負荷部２１２及び操作部１１に供給しないようにＣＰＵ３０５に指示を出す。なお、電子機器２００が第１のモードであっても、ＣＰＵ３０５は、制御部２０１に必要な電力が供給されるように出力部３０１を制御する。
【００６４】
Ｓ５０６において、ＣＰＵ３０５から通知された電圧Ｖ１の変化量が第３の所定値以上であるか否かを判定する。電圧Ｖ１の変化量が第３の所定値以上である場合（Ｓ５０６でＹｅｓ）、本フローチャートは、Ｓ５０１に戻る。電圧Ｖ１の変化量が第３の所定値以上でない場合（Ｓ５０６でＮｏ）、本フローチャートは、終了する。
【００６５】
Ｓ５０７において、制御部２０１は、ＣＰＵ３０５から通知された電圧Ｖ２が第５の所定値以上であるか否かを判定する。なお、第５の所定値は、第３の所定値よりも高い値であり、かつ、満充電であると判定される電池２０９の電圧よりも低い値である。例えば、第５の所定値は、３．６〜７．２［Ｖ］である。電圧Ｖ２が第５の所定値以上でない場合（Ｓ５０７でＮｏ）、制御部２０１は、給電装置１００に給電電力の増加を要求したとしても、電池２０９が負荷部２１２に電力を供給することによって、電池２０９の残容量が第３の所定値よりも低下すると判定する。Ｓ５０７でＮｏの場合、本フローチャートは、Ｓ５０８に進む。電圧Ｖ２が第５の所定値以上である場合（Ｓ５０７でＹｅｓ）、制御部２０１は、本フローチャートは、Ｓ５１０に進む。
【００６６】
Ｓ５０８において、制御部２０１は、Ｓ５０４と同様に、給電装置１００が電子機器２００に対して供給する給電電力を増加するように要求するための要求データを給電装置１００に送信するように第１の通信部２０６を制御する。この場合、本フローチャートは、Ｓ５０９に進む。
【００６７】
Ｓ５０９において、制御部２０１は、電子機器２００を第２のモードに設定する。第２のモードは、電池２０９からの電力及び整流平滑回路２０５からの電力をレギュレータ２１０を介して負荷部２１２に供給しないようにするためのモードである。電子機器２００が第２のモードである場合、電池２０９からの電力及び整流平滑回路２０５からの電力のいずれも負荷部２１２に供給されない。なお、電子機器２００が第２のモードである場合であっても、制御部２０１は、電池２０９からの電力及び整流平滑回路２０５からの電力の少なくとも一つがレギュレータ２１０を介して操作部２１１に供給されるようにする。電子機器２００が第２のモードに設定された場合、制御部２０１は、整流平滑回路２０５から供給された電力を負荷部２１２に供給しないようにＣＰＵ３０５に指示を出す。なお、電子機器２００が第２のモードであっても、ＣＰＵ３０５は、制御部２０１に必要な電力が供給されるように出力部３０１を制御する。なお、第２のモードは、第１のモードよりも電子機器２００で消費される電力が高いモードである。
【００６８】
例えば、電圧Ｖ１が第２の所定値以上であると判定された後（Ｓ５０２でＹｅｓ）、Ｓ５０９において、制御部２０１は、整流平滑回路２０５からの電力がレギュレータ２１０を介して操作部２１１に供給されるようにレギュレータ２１０を制御する。さらに、電圧Ｖ１が第２の所定値以上であると判定された後（Ｓ５０２でＹｅｓ）、Ｓ５０９において、制御部２０１は、電池２０９からの電力がレギュレータ２１０を介して操作部２１１に供給されないようにレギュレータ２１０を制御しても良い。
【００６９】
また、例えば、電圧Ｖ２が第３の所定値以上であると判定された後（Ｓ５０３でＹｅｓ）、Ｓ５０９において、制御部２０１は、電池２０９からの電力がレギュレータ２１０を介して操作部２１１に供給されるようにレギュレータ２１０を制御する。さらに、電圧Ｖ２が第３の所定値以上であると判定された後（Ｓ５０３でＹｅｓ）、Ｓ５０９において、制御部２０１は、整流平滑回路２０５からの電力がレギュレータ２１０を介して操作部２１１に供給されないようにレギュレータ２１０を制御してもよい。
【００７０】
この場合、本フローチャートは、Ｓ５０６に進む。
【００７１】
Ｓ５１０において、制御部２０１は、Ｓ５０４と同様に、給電装置１００が電子機器２００に対して供給する給電電力を増加するように要求するための要求データを給電装置１００に送信するように第１の通信部２０６を制御する。この場合、本フローチャートは、Ｓ５１１に進む。
【００７２】
Ｓ５１１において、制御部２０１は、電子機器２００を第３のモードに設定する。第３のモードは、電池２０９からの電力及び整流平滑回路２０５からの電力の少なくとも一つをレギュレータ２１０を介して操作部２１１及び負荷部２１２に供給するためのモードである。電子機器２００が第３のモードである場合、電池２０９からの電力及び整流平滑回路２０５からの電力の少なくとも一つが操作部２１１及び負荷部２１２に供給される。なお、電子機器２００が第３のモードであっても、ＣＰＵ３０５は、制御部２０１に必要な電力が供給されるように出力部３０１を制御する。なお、第３のモードは、第２のモードよりも電子機器２００で消費される電力が高いモードである。
【００７３】
例えば、電圧Ｖ１が第２の所定値以上である場合（Ｓ５０２でＹｅｓ）、Ｓ５１１において、制御部２０１は、整流平滑回路２０５からの電力がレギュレータ２１０を介して操作部２１１及び負荷部２１２に供給されるようにレギュレータ２１０を制御する。電圧Ｖ１が第２の所定値以上であると判定された後（Ｓ５０２でＹｅｓ）、Ｓ５１１において、制御部２０１は、電池２０９からの電力がレギュレータ２１０を介して操作部２１１及び負荷部２１２に供給されないようにレギュレータ２１０を制御しても良い。
【００７４】
また、例えば、電圧Ｖ２が第３の所定値以上である場合（Ｓ５０３でＹｅｓ）、Ｓ５１１において、制御部２０１は、電池２０９からの電力がレギュレータ２１０を介して操作部２１１及び負荷部２１２に供給されるようにレギュレータ２１０を制御する。この場合、本フローチャートは、Ｓ５０６に進む。電圧Ｖ２が第３の所定値以上である場合（Ｓ５０３でＹｅｓ）、Ｓ５１１において、制御部２０１は、整流平滑回路２０５からの電力がレギュレータ２１０を介して操作部２１１及び負荷部２１２に供給されないようにレギュレータ２１０を制御しても良い。  上述の図５の制御処理における電圧Ｖ１、電圧Ｖ２及び電子機器２００のモードとの関係を、図６の所定のテーブル６００に示す。所定のテーブル６００における６０１は、制御部２０１に通知される電圧Ｖ１である。所定のテーブル６００における６０２は、制御部２０１に通知される電圧Ｖ２である。所定のテーブル６００における６０３は、電圧Ｖ１及び電圧Ｖ２に応じて、制御部２０１によって設定される電子機器２００のモードである。
【００７５】
このように、電子機器２００は、給電装置１００から供給される電圧と電池２０９の電圧とに応じて、電子機器２００内の電力供給を制限するようにした。これにより、電子機器２００は、負荷部２１２の動作及び電池２０９への充電動作の少なくとも一つが行われている場合に、受電アンテナ２０３が受け取る電力が低下したとしても、制御部２０１に必要な電圧が供給されるようにすることができる。
【００７６】
なお、所定の周波数ｆは、１３．５６ＭＨｚに限られるものではなく、例えば、６．７８ＭＨｚであってもよい。また、所定の周波数ｆは、１００ｋＨｚ〜２００ｋＨｚまでのいずれか一つの周波数であってもよい。
【００７７】
なお、給電装置１００は、給電アンテナ１０６を介して、第２の電力を出力し、給電アンテナ１０６を介して、第１の電力を用いて通信を行うようにした。しかし、これに限られないものとする。例えば、給電装置１００は、第２の電力を出力するための第１のアンテナと、第１の電力を用いて通信を行うための第２のアンテナとを別々に有するものであっても良い。なお、この場合、給電装置１００は、第１のアンテナの共振周波数を６．７８ＭＨｚに設定し、第２のアンテナの共振周波数を１３．５６ＭＨｚに設定してもよい。
【００７８】
また、電子機器２００は、受電アンテナ２０３を介して、給電装置１００から電力を受け取り、受電アンテナ２０３を介して、給電装置１００と通信を行うようにした。しかし、これに限られないものとする。例えば、電子機器２００は、給電装置１００から電力を受け取るための第３のアンテナと、給電装置１００と通信を行うための第４のアンテナとを別々に有するものであっても良い。なお、この場合、電子機器２００は、第３のアンテナの共振周波数を６．７８ＭＨｚに設定し、第４のアンテナの共振周波数を１３．５６ＭＨｚに設定してもよい。
【００７９】
また、給電装置１００の給電方法は、ＷＰＣ（Ｗｉｒｅｌｅｓｓ  Ｐｏｗｅｒ  Ｃｏｎｓｏｔｉｕｍ）に規定されている「Ｑｉ」規格であってもよく、Ａ４ＷＰに規定されている規格であってもよい。また、給電装置１００の給電方法は、ＢＷＦ（Ｂｒｏａｄｂａｎｄ  Ｗｉｒｅｌｅｓｓ  Ｆｏｒｕｍ）に規定されている規格であってもよい。
【００８０】
（他の実施例）
本発明に係る給電装置は、実施例１で説明した給電装置１００に限定されるものではない。例えば、給電装置は、複数の装置から構成されるシステムにより実現することも可能である。また、電子機器は、実施例１で説明した電子機器２００に限定されるものではない。例えば、本発明に係る電子機器は、複数の装置から構成されるシステムにより実現することも可能である。
【００８１】
また、実施例１で説明した様々な処理及び機能は、コンピュータプログラムより実現することも可能である。この場合、本発明に係る処理はコンピュータプログラムで実行可能であり、実施例１で説明した様々な機能を実現することになる。
【００８２】
本発明に係るコンピュータプログラムは、コンピュータ上で稼動しているＯＳ（Ｏｐｅｒａｔｉｎｇ  Ｓｙｓｔｅｍ）などを利用して、実施例１で説明した様々な処理及び機能を実現してもよいことは言うまでもない。
【００８３】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【符号の説明】
【００８４】
１００  給電装置
２００  電子機器
【図１】
2015154511.tif 000003
【図２】
2015154511.tif 000004
【図３】
2015154511.tif 000005
【図４】
2015154511.tif 000006
【図５】
2015154511.tif 000007
【図６】
2015154511.tif 000008